(57)【要約】【課題】ガラス板取付業者、シーリング工事業者、手すり取付業者の日程を合わせる必要がなく、それぞれの業者の都合に良い日に、作業をすることができる手すり構造体、及びその手すり構造体の取付方法を提供する。【解決手段】縦枠１の互いに対向する内面側には遮蔽板Ｐの側縁部の嵌合溝１１を、下横枠３の内面側には遮蔽板Ｐの下縁部の嵌合溝３１を、上重枠６の内面側には遮蔽板Ｐの上縁部の嵌合溝６１をそれぞれ設け、上横枠２の上面側には嵌合溝２ａ及び嵌合凸部２ｂを設けると共に嵌合凸部２ｃを設け、上重枠６の内側縁部には上横枠２の嵌合溝２ａとの嵌合辺６ａ、及び嵌合凸部２ｂとの嵌合溝６ｂを設けると共に、外側縁部には嵌合凸部６ｃを設け、笠木枠７の内側縁部には上横枠２の嵌合凸部２ｃとの嵌合凹部７ａを設けると共に、外側縁部には上重枠６の嵌合凸部６ｃとの嵌合凹部７ａを設けたものとしている。【選択図】図１
2018178406.tif 000002
【特許請求の範囲】
【請求項１】
複数の縦枠（１）と上下横枠（２、３）とからなる枠本体（４）と、前記枠本体（４）を支持する複数の支柱（５）と、前記上横枠（２）の上面に重着させる上重枠（６）と、前記上横枠（２）と上重枠（６）に嵌め込まれる笠木枠（７）とからなり、
前記縦枠（１）の互いに対向する内面側には遮蔽板（Ｐ）の側縁部の嵌合溝（１１）を、前記下横枠（３）の内面側には遮蔽板（Ｐ）の下縁部の嵌合溝（３１）を、前記上重枠（６）の内面側には遮蔽板（Ｐ）の上縁部の嵌合溝（６１）をそれぞれ設け、
前記上横枠（２）の上面側には嵌合溝（２ａ）及び嵌合凸部（２ｂ）を設けると共に嵌合凸部（２ｃ）を設け、
前記上重枠（６）の内側縁部には前記上横枠（２）の嵌合溝（２ａ）との嵌合辺（６ａ）、及び嵌合凸部（２ｂ）との嵌合溝（６ｂ）を設けると共に、外側縁部には嵌合凸部（６ｃ）を設け、
前記笠木枠（７）の内側縁部には前記上横枠（２）の嵌合凸部（２ｃ）との嵌合凹部（７ａ）を設けると共に、外側縁部には前記上重枠（６）の嵌合凸部（６ｃ）との嵌合凹部（７ａ）を設けたことを特徴とする手すり構造体。
【請求項２】
前記遮蔽板（Ｐ）は、透明または半透明のガラス板であることを特徴とする請求項１記載の手すり構造体。
【請求項３】
前記上横枠（２）の内側寄りが前記支柱（５）の上端に固着されると共に、外側寄りが前記縦枠（１）の上端に固着され、前記下横枠（３）の下端が前記支柱（５）に突設した下ブラケット（９）に固着されることにより、前記枠本体（４）が前記支柱（５）の外方に突き出して配置されていることを特徴とする請求項１または２記載の手すり構造体。
【請求項４】
前記上横枠（２）の内側寄りが前記支柱（５）の上端から前方に突設した上ブラケット（８）に固着されると共に、外側寄りが前記縦枠（１）の上端に固着され、前記下横枠（３）の下端が前記支柱（５）に突設した下ブラケット（９）に固着されることにより、前記枠本体（４）が前記支柱（５）の外方に突き出して配置されていることを特徴とする請求項１または２記載の手すり構造体。
【請求項５】
前記請求項１〜４のいずれかに記載の手すり構造体において、前記支柱（５）を取付場所に立設し、
前記枠本体（４）の内側の上方から、遮蔽板（Ｐ）を落とし込むことにより、前記縦枠（１）に設けた対向する嵌合溝（１１）に遮蔽板（Ｐ）の両側縁部を嵌め込むと共に、前記下横枠（３）に設けた嵌合溝（３１）に遮蔽板（Ｐ）の下縁部を嵌め込み、
前記上横枠（２）の嵌合溝（２ａ）に前記上重枠（６）の嵌合辺（６ａ）を、上重枠（６）の嵌合溝（６ｂ）に上横枠２の嵌合凸部（２ｂ）をそれぞれ嵌め込むことにより、この上重枠（６）を上横枠（２）に重着し、
前記上横枠（２）及び上重枠（６）の上方から、上横枠（２）の嵌合凸部（２ｃ）に前記笠木枠（７）の嵌合凹部（７ａ）を、上重枠（６）の嵌合凸部（６ｃ）に前記笠木枠（７）の嵌合凹部（７ａ）を無理嵌めすることを特徴とする手すり構造体の取付方法。。
【発明の詳細な説明】
【技術分野】
【０００１】
この発明は、マンションのベランダ等の取付場所に簡単に取り付けることができる手すり構造体、及びその手すり構造体の取付方法に関するものである。
【背景技術】
【０００２】
従来、この種の手すり構造体として、マンションのベランダ等の現場において、取り付けるのに時間がかからず、少数のビスで取り付けることのできるものとして、以下に述べるような遮蔽板付き柵と称しているものが存在する（特許文献１）。
【０００３】
このような遮蔽板付き柵は、図１５に示したように、左右に起立する支柱５２、５２間の上部と下部に、上下横桟５４、５５を連結して形成した方形の枠体５１内に、遮蔽板５３を嵌め込む形態としている。すなわち、前記支柱５２の相対向する内側面と、下横桟５５の上面に、遮蔽板５３の外周縁部が嵌め込まれる溝５７を連続して設けている。さらに、上横桟５４を内外に二分割して形成し、その内外上横桟５４、５４間に、前記溝５７に対応する隙間５８を設け、隙間５８の上方より遮蔽板５３を枠体５１内に落し込んでその溝５７に嵌め込む。そして、枠体５１内に遮蔽板５３を嵌め込んだ後、枠体５１の上面に笠木５９を被せ、支柱５２と縦桟５６に、ビス６０で固着する。最後に、ビス６０を止めた後のビス孔６１に、ゴムキャップ６２を嵌めるとしている。
【０００４】
このように構成された遮蔽板付き柵は、内外上横桟５４、５４の隙間５８から遮蔽板５３を出し入れでき、左右支柱５２、５２と下横桟５５に設けている連続した溝５７に遮蔽板５３を嵌め込む構造なので、押縁材が要らず、少数のビスで取り付けられるとしており、また組み立てるのに時間と手間がかからないとしている。
【先行技術文献】
【特許文献】
【０００５】
【特許文献１】特開平８−１３４８５２号公報
【発明の概要】
【発明が解決しようとする課題】
【０００６】
しかしながら、上記従来の遮蔽板付き柵のような手すり構造体では、遮蔽板５３は両側端が左右支柱５２、５２の溝５７に嵌め込まれ、下側端が下横桟５５の溝５７に嵌め込まれているが、上側端が内外上横桟５４、５４間の隙間５８に落し込まれているだけなので、この上側端がしっかりと止着されないという課題を有していた。
【０００７】
そして、上記従来の遮蔽板付き柵のような手すり構造体では、遮蔽板５３は少数のビス６０で取り付けられるとしているが、ビス６０で取り付けられることには変わらず、ビス止め用の工具が必要であったり、ビス止め作業に手間がかかり、またビス６０を止めた後のビス孔６１にゴムキャップ６２を嵌めることにより防水処理をしているので、この防水処理の手間がかかるという課題を有していた。
【０００８】
さらに、上記従来の遮蔽板付き柵のような手すり構造体では、遮蔽板５３は左右支柱５２、５２の間に、これら支柱５２、５２と略同一面に位置しており、左右支柱５２、５２からベランダ側に突き出した空間に位置させることができないため、左右支柱５２、５２の間を有効な空間として利用することができないという課題を有していた。
【０００９】
しかも、上記従来の遮蔽板付き柵のような手すり構造体では、遮蔽板５３がガラス板である場合には、ガラス板の取付作業とシーリング作業とを、それぞれ別の専門業者が行いつつ、手すり取付業者も並行して作業に立ち会って、その手すりの取付作業を行う必要があり、これらの作業の日程を合わせなければならないという課題を有していた。
【００１０】
そこで、この発明は、上記従来の課題を解決するものであり、遮蔽板の全周縁部が嵌め込まれてしっかりと止着され、遮蔽板の全周縁部を簡単にシーリングすることができ、防風や防水に優れた効果を発揮し、さらに遮蔽板をビス止めする必要がなく、またビスを止めた後のビス孔の防水処理の手間もかからず、また左右支柱の間を有効な空間として利用することができ、ベランダ等をより広くでき、しかも遮蔽板がガラス板である場合に、ガラス板取付業者、シーリング工事業者、手すり取付業者のそれぞれ日程を合わせる必要がなく、それぞれの業者の都合に良い日に、それらの作業をすることができる手すり構造体、及びその手すり構造体の取付方法を提供することを目的としてなされたものである。
【課題を解決するための手段】
【００１１】
そのため、この発明の手すり構造体は、複数の縦枠１と上下横枠２、３とからなる枠本体４と、前記枠本体４を支持する複数の支柱５と、前記上横枠２の上面に重着させる上重枠６と、前記上横枠２と上重枠６に嵌め込まれる笠木枠７とからなり、前記縦枠１の互いに対向する内面側には遮蔽板Ｐの側縁部の嵌合溝１１を、前記下横枠３の内面側には遮蔽板Ｐの下縁部の嵌合溝３１を、前記上重枠６の内面側には遮蔽板Ｐの上縁部の嵌合溝６１をそれぞれ設け、前記上横枠２の上面側には嵌合溝２ａ及び嵌合凸部２ｂを設けると共に嵌合凸部２ｃを設け、前記上重枠６の内側縁部には前記上横枠２の嵌合溝２ａとの嵌合辺６ａ、及び嵌合凸部２ｂとの嵌合溝６ｂを設けると共に、外側縁部には嵌合凸部６ｃを設け、前記笠木枠７の内側縁部には前記上横枠２の嵌合凸部２ｃとの嵌合凹部７ａを設けると共に、外側縁部には前記上重枠６の嵌合凸部６ｃとの嵌合凹部７ａを設けたものとしている。
【００１２】
この発明の手すり構造体において、前記遮蔽板Ｐは、透明または半透明のガラス板であるものとしている。
【００１３】
この発明の手すり構造体において、前記上横枠２の内側寄りが前記支柱５の上端に固着されると共に、外側寄りが前記縦枠１の上端に固着され、前記下横枠３の下端が前記支柱５に突設した下ブラケット９に固着されることにより、前記枠本体４が前記支柱５の外方に突き出して配置されている。
【００１４】
この発明の手すり構造体において、前記上横枠２の内側寄りが前記支柱５の上端から前方に突設した上ブラケット８に固着されると共に、外側寄りが前記縦枠１の上端に固着され、前記下横枠３の下端が前記支柱５に突設した下ブラケット９に固着されることにより、前記枠本体４が前記支柱５の外方に突き出して配置されている。
【００１５】
この発明の手すり構造体の取付方法は、前記支柱５を取付場所に立設し、前記枠本体４の内側の上方から、遮蔽板Ｐを落とし込むことにより、前記縦枠１に設けた対向する嵌合溝１１に遮蔽板Ｐの両側縁部を嵌め込むと共に、前記下横枠３に設けた嵌合溝３１に遮蔽板Ｐの下縁部を嵌め込み、前記上横枠２の嵌合溝２ａに前記上重枠６の嵌合辺６ａを、上重枠６の嵌合溝６ｂに上横枠２の嵌合凸部２ｂをそれぞれ嵌め込むことにより、この上重枠６を上横枠２に重着し、前記上横枠２及び上重枠６の上方から、上横枠２の嵌合凸部２ｃに前記笠木枠７の嵌合凹部７ａを、上重枠６の嵌合凸部６ｃに前記笠木枠７の嵌合凹部７ａをそれぞれ無理嵌めするものとしている。
【発明の効果】
【００１６】
この発明は、以上に述べたように構成されているので、遮蔽板Ｐの全周縁部が嵌め込まれてしっかりと止着され、遮蔽板Ｐの全周縁部をシーリングすることができ、防風や防水に優れた効果を発揮することができるようになった。
【００１７】
そして、この発明は、遮蔽板Ｐをビス止めする必要がなく、またビスを止めた後のビス孔の防水処理の手間もかからず、複数の支柱５の間を有効な空間として利用することができ、ベランダ等をより広くできるようになった。
【００１８】
さらに、この発明は、遮蔽板Ｐがガラス板である場合に、ガラス板取付業者、シーリング工事業者、手すり取付業者のそれぞれ日程を合わせる必要がなく、それぞれの業者の都合に良い日に、それらの作業をすることができるものとなった。
【図面の簡単な説明】
【００１９】
【図１】この発明の手すり構造体の一実施形態を示す分解斜視図である。
【図２】図１に示す手すり構造体の組立斜視図である。
【図３】図１に示す手すり構造体をマンションのベランダのコンクリート躯体に取り付けた状態のベランダの内側から見た正面図である。
【図４】図３中のＡ−Ａによる手すり構造体の拡大断面図である。
【図５】図４における手すり構造体から上重枠及び笠木枠を外した状態の説明図である。
【図６】この発明の手すり構造体の上横枠と上重枠の重着形式の一例を示す説明図である。
【図７】この発明の手すり構造体の上横枠と上重枠の重着形式の他例を示す説明図である。
【図８】この発明の他の実施形態の手すり構造体をマンションのベランダのコンクリート躯体に取り付けた状態のベランダの内側から見た正面図である。
【図９】図８中のＢ−Ｂによる手すり構造体の拡大断面図である。
【図１０】図９における手すり構造体から上重枠及び笠木枠を外した状態の説明図である。
【図１１】この発明のさらに他の実施形態の手すり構造体をマンションのベランダのコンクリート躯体に取り付けた状態のベランダの内側から見た正面図である。
【図１２】図１１中のＣ−Ｃによる手すり構造体の拡大断面図である。
【図１３】図１２における手すり構造体から上重枠及び笠木枠を外した状態の説明図である。
【図１４】この発明の手すり構造体の取り付け順序を示す説明図である。
【図１５】従来の手すり構造体の一例を示す分解斜視図である。
【発明を実施するための形態】
【００２０】
以下、この発明の手すり構造体及びその手すり構造体の取付方法を図面に基づいて詳細に説明する。なお、以下の説明文中における外側、内側、左右、上下は、手すり構造体のベランダ等への取付場所を基準としており、図４、９、１２における左方向が外側、右方向が内側、紙面手前方向が右、紙面奥方向が左、上方向が上、下方向が下に相当する。
【００２１】
この発明の手すり構造体は、図１、２に示したように、複数の縦枠１と上下横枠２、３とからなる枠本体４と、前記枠本体４を支持する複数の支柱５と、前記上横枠２の上面に重着させる上重枠６と、前記上横枠２と上重枠６に嵌め込まれる笠木枠７とからなる。
【００２２】
前記縦枠１は、アルミ合金等を押出成形してなる金属型枠としており、図５、１０、１３に示したように、互いに対向する内面側には後に述べる遮蔽板Ｐの側縁部の嵌合溝１１を設けている。この嵌合溝１１は、遮蔽板Ｐの厚さより少し幅の広いものとし、遮蔽板Ｐが入り込んで抜けない程度の深さとしているが、後に述べるようにシーリング加工を施す場合は、その分を見込んだ広い幅にしている。
【００２３】
前記上横枠２は、アルミ合金等を押出成形してなる金属型枠としており、図５、１０、１３に示したように、上面側には後に述べる上重枠６の内側縁部の嵌合辺６ａとの嵌合溝２ａ、及び嵌合溝６ｂとの嵌合凸部２ｂを設けると共に、後に述べる笠木枠７の内側縁部の嵌合凹部７ａとの嵌合凸部２ｃを設けている。この嵌合凸部２ｃは、前記嵌合凹部７ａに無理嵌めできるように、嵌合凹部７ａより少し大きくするような工夫をしている。
【００２４】
前記下横枠３は、アルミ合金等を押出成形してなる金属型枠としており、図４、９、１２に示したように、外側寄りの内面側には後に述べる遮蔽板Ｐの下縁部の嵌合溝３１を設けている。この嵌合溝３１も、前記嵌合溝１１と同様の幅や深さにしている。
【００２５】
前記枠本体４は、前記縦枠１の上下間に上下横枠２、３を溶接したり、ビス止めしたりすることによりそれぞれ方形に構成されている。この枠本体４は、図１、２に示したように、２〜３本の縦枠１と上下横枠２、３とからなるものを一単位とし、これを複数単位、組み合わせることにより、マンションのベランダ等の取付場所に対応できるものとするのが、保管場所の確保がし易かったり、運搬や搬入がし易いものとなる。
【００２６】
前記支柱５は、アルミ合金等からなる角パイプ状や丸パイプ状に加工したものとしており、前記枠本体４の縦枠１や上下横枠２、３を直接、固着したり、後に述べる上下ブラケット８、９などを介して固着することにより、前記枠本体４を支持している。
【００２７】
前記上重枠６は、アルミ合金等を押出成形してなる金属型枠としており、図５、１０、１３に示したように、内面側には後に述べる遮蔽板Ｐの上縁部の嵌合溝６１を設け、内側縁部には前記上横枠２の嵌合溝２ａとの嵌合辺６ａ、及び嵌合凸部２ｂとの嵌合溝６ｂを設けると共に、外側縁部には後に述べる笠木枠７の外側縁部の嵌合凹部７ａとの嵌合凸部６ｃを設けている。この嵌合溝６１も、前記嵌合溝１１や嵌合溝３１と同様の幅や深さにしており、嵌合凸部６ｃも、前記嵌合凹部７ａに無理嵌めできるように、嵌合凹部７ａより少し大きくするような工夫をしている。なお、前記嵌合辺６ａは、外縁にリブＲａを形成したものとし、図６（ａ）（ｂ）に示したように、上横枠２の嵌合溝２ａにスライドさせるようにして嵌め込むものとしているが、図７（ａ）（ｂ）に示したように、上横枠２の嵌合溝２ａの開口縁にもリブＲｂを形成したものとして、リブＲａ、Ｒｂどうしを引っ掛けてから、上横枠２の嵌合溝２ａにスライドさせるようにして嵌め込むものとしてもよい。このようにした場合には、上横枠２に上重枠６を位置合わせしてから嵌め込め、嵌め込み作業がし易いものとなると共に、その嵌め込み状態が堅固なものとなる。このようにしない場合は、必要に応じて、上重枠６の数カ所を上横枠２にビス止めして、その嵌め込み状態を補強しておくこともできる。
【００２８】
前記笠木枠７は、アルミ合金等を押出成形してなる金属型枠としており、図５、１０、１３に示したように、内側縁部には前記したように上横枠２の嵌合凸部２ｃとの嵌合凹部７ａを設けると共に、外側縁部には前記したように上重枠６の嵌合凸部６ｃとの嵌合凹部７ａを設けている。さらに、この笠木枠７は、内側縁部と外側縁部との間を上方に突出させた湾曲部としている。
【００２９】
前記遮蔽板Ｐは、透明または半透明のガラス板、金属板、カラーパネル等とすることができ、上下縁部及び左右縁部を前記枠本体４の縦枠１の嵌合溝１１、下横枠３の嵌合溝３１、上重枠６の嵌合溝６１にそれぞれ嵌合した後、必要に応じて、これらの間にシーリング加工を施すようにしている。
【００３０】
この発明の手すり構造体において、図１〜７に示したものでは、前記縦枠１が前記支柱５の内面側の外寄りに固着され、前記上横枠２が前記支柱５の上端の内寄りに固着されることにより、前記枠本体４が前記支柱５間に配置されている。
【００３１】
さらに、この発明の手すり構造体において、図８〜１０に示したものでは、前記上横枠２の内側寄りが前記支柱５の上端に固着されると共に、外側寄りが前記縦枠１の上端に固着され、前記下横枠３の下端が前記支柱５に突設した下ブラケット９に固着されることにより、前記枠本体４が前記支柱５の外方に突き出して配置されることになる。このようにしたものでは、前記支柱５どうしの間が空間となるので、この空間を有効な空間として利用することができる。
【００３２】
また、この発明の手すり構造体において、図１１〜１３に示したものでは、前記上横枠２の内側寄りが前記支柱５の上端から前方に突設した上ブラケット８に固着されると共に、外側寄りが前記縦枠１の上端に固着され、前記下横枠３の下端が前記支柱５に突設した下ブラケット９に固着されることにより、前記枠本体４が前記支柱５の外方に突き出して配置されることになる。このようにしたものでも、前記支柱５どうしの間が空間となるので、この空間を有効な空間として利用することができる。
【００３３】
以上に述べたように構成されたこの発明の手すり構造体は、図１４（ａ）〜（ｅ）に示した順序で、マンションのベランダ等の取付場所に取り付けられる。
【００３４】
先ず、図１４（ａ）に示したように、前記枠本体４を支持する複数の支柱５を、枠本体４と共に取付場所のコンクリート躯体等に立設する。
【００３５】
次に、図１４（ｂ）に示したように、前記枠本体４の内側の上方から、遮蔽板Ｐを落とし込むことにより、前記縦枠１に設けた対向する嵌合溝１１に遮蔽板Ｐの両側縁部を嵌め込むと共に、前記下横枠３に設けた嵌合溝３１に遮蔽板Ｐの下縁部を嵌め込む。この場合、マンションのベランダ等における枠本体４の外側には足場スペースが狭く、その枠本体４の外側の上方から遮蔽板Ｐを落とし込むのではその作業がし難いが、この方法では遮蔽板Ｐを枠本体４の内側の上方から落とし込むので、支障なくその作業ができる。
【００３６】
さらに、図１４（ｂ）に示した状態から、前記上横枠２の嵌合溝２ａに前記上重枠６の嵌入辺６ａを、上重枠６の嵌合溝６ｂに上横枠２の嵌合凸部２ｂをそれぞれ嵌め込むことにより、この上重枠６を上横枠２に重着して、図１４（ｃ）に示した状態にする。この作業は、ビス止め作業にように手すり取付業者に限らず、ガラス板取付業者であっても、シーリング工事業者であっても簡単に行うことができる。
【００３７】
そして最後に、図１４（ｃ）に示した状態から、図１４（ｄ）に示したように、前記上横枠２及び上重枠６の上方から、上横枠２の嵌合凸部２ｃに前記笠木枠７の嵌合凹部７ａを、上重枠６の嵌合凸部６ｃに前記笠木枠７の嵌合凹部７ａをそれぞれ無理嵌めし、図１４（ｅ）に示した状態にする。この作業も、手すり取付業者に限らず、ガラス板取付業者であっても、シーリング工事業者であっても簡単に行うことができる。
【００３８】
なお、図１４（ｅ）に示した状態にする前に、必要に応じ図１４（ｃ）に示した状態において、前記遮蔽板Ｐの上下縁部及び左右縁部と、前記枠本体４の縦枠１の嵌合溝１１、下横枠３の嵌合溝３１、上重枠６の嵌合溝６１のそれぞれの隙間にシーリング加工を施しておくようにしている。
【００３９】
この発明は、以上に述べたように構成されているので、遮蔽板Ｐの全周縁部が嵌め込まれてしっかりと止着され、必要に応じて遮蔽板Ｐの全周縁部をシーリングすることができ、防風や防水に優れた効果を発揮することができるようになる。
【００４０】
さらに、この発明は、遮蔽板Ｐを枠本体４に嵌め込み、さらに枠本体４に笠木枠７を無理嵌めするだけでよく、ビス止めする必要がまったくなく、またビスを止めしないので、ビス孔の防水処理の手間もかからず、さらに支柱５どうしの間を有効な空間として利用することができ、ベランダ等をより広くできるようになる。
【００４１】
そして、この発明は、遮蔽板Ｐをガラス板にした場合には、ガラス板取付業者、シーリング工事業者、手すり取付業者のそれぞれ日程を合わせる必要がなく、それぞれの業者の都合に良い日に、それらの作業をすることができるものとなる。
【符号の説明】
【００４２】
１  縦枠
２  上横枠
２ａ  嵌合溝
２ｂ  嵌合凸部
２ｃ  嵌合凸部
３  下横枠
４  枠本体
５  支柱
６  上重枠
６ａ  嵌合辺
６ｂ  嵌合溝
６ｃ  嵌合凸部
７  笠木枠
７ａ  嵌合凹部
８  上ブラケット
９  下ブラケット
１１  嵌合溝
３１  嵌合溝
６１  嵌合溝
Ｐ  遮蔽板
【図１】
2018178406.tif 000003
【図２】
2018178406.tif 000004
【図３】
2018178406.tif 000005
【図４】
2018178406.tif 000006
【図５】
2018178406.tif 000007
【図６】
2018178406.tif 000008
【図７】
2018178406.tif 000009
【図８】
2018178406.tif 000010
【図９】
2018178406.tif 000011
【図１０】
2018178406.tif 000012
【図１１】
2018178406.tif 000013
【図１２】
2018178406.tif 000014
【図１３】
2018178406.tif 000015
【図１４】
2018178406.tif 000016
【図１５】
2018178406.tif 000017